(57)【要約】【課題】表示装置の駆動負荷を最小限に抑えて高速駆動を行う。【解決手段】本開示の表示装置は、所定の周波数で駆動されて表示を行う通常応答ディスプレイと、前記通常応答ディスプレイと重ねて配置され、前記通常応答ディスプレイよりも高い周波数で駆動され、前記通常応答ディスプレイと重畳して表示を行う高速応答ディスプレイと、を備える。高速応答ディスプレイには高速駆動する領域のみを表示できるため、プロセッサの駆動負荷を最小限に抑えることができる。【選択図】図５
2013195537.tif 000002
【特許請求の範囲】
【請求項１】
所定の周波数で駆動されて表示を行う通常応答ディスプレイと、
前記通常応答ディスプレイと重ねて配置され、前記通常応答ディスプレイよりも高い周波数で駆動され、前記通常応答ディスプレイと重畳して表示を行う高速応答ディスプレイと、
を備える、表示装置。
【請求項２】
前記高速応答ディスプレイは、スタティック駆動により表示を行う、請求項１に記載の表示装置。
【請求項３】
前記高速応答ディスプレイは前記通常応答ディスプレイの光を遮光する遮光部分を備え、前記遮光部分により前記通常応答ディスプレイの表示を分離して他画面表示を行う、請求項１に記載の表示装置。
【請求項４】
前記高速応答ディスプレイが動画を表示する、請求項１に記載の表示装置。
【請求項５】
前記通常応答ディスプレイが静止画を表示する、請求項１に記載の表示装置。
【請求項６】
前記通常応答ディスプレイが６０Ｈｚの周波数で駆動され、前記高速応答ディスプレイが１２０Ｈｚ又は２４０Ｈｚの周波数で駆動される、請求項１に記載の表示装置。
【請求項７】
表示装置を備えた電子機器であって、
前記表示装置は、
所定の周波数で駆動されて表示を行う通常応答ディスプレイと、
前記通常応答ディスプレイと重ねて配置され、前記通常応答ディスプレイよりも高い周波数で駆動され、前記通常応答ディスプレイと重畳して表示を行う高速応答ディスプレイと、
を備える、電子機器。
【請求項８】
第１の駆動周波数で第１のディスプレイを駆動することと、
前記第１の駆動周波数よりも高い第２の周波数で前記第１のディスプレイと重ねて配置された第２のディスプレイを駆動することと、
を備える、表示装置の制御方法。
【発明の詳細な説明】
【技術分野】
【０００１】
本開示は、表示装置、電子機器及び表示装置の制御方法に関する。
【背景技術】
【０００２】
従来、例えば下記の特許文献１に記載されているように、動画像のフレームレートを高くして高速駆動を行うことが知られている。
【先行技術文献】
【特許文献】
【０００３】
【特許文献１】特開２００６−７８５０５号公報
【発明の概要】
【発明が解決しようとする課題】
【０００４】
しかしながら、フレームレートを高くして高速駆動を行うと、プロセッサの駆動負荷が高くなり、消費電力が増大する問題がある。
【０００５】
そこで、表示装置の駆動負荷を最小限に抑えて高速駆動を行うことが求められていた。
【課題を解決するための手段】
【０００６】
本開示によれば、所定の周波数で駆動されて表示を行う通常応答ディスプレイと、前記通常応答ディスプレイと重ねて配置され、前記通常応答ディスプレイよりも高い周波数で駆動され、前記通常応答ディスプレイと重畳して表示を行う高速応答ディスプレイと、を備える、表示装置が提供される。
【０００７】
また、前記高速応答ディスプレイは、スタティック駆動により表示を行うものであっても良い。
【０００８】
また、前記高速応答ディスプレイは前記通常応答ディスプレイの光を遮光する遮光部分を備え、前記遮光部分により前記通常応答ディスプレイの表示を分離して他画面表示を行うものであっても良い。
【０００９】
また、前記高速応答ディスプレイが動画を表示するものであっても良い。
【００１０】
また、前記通常応答ディスプレイが静止画を表示するものであっても良い。
【００１１】
また、前記通常応答ディスプレイが６０Ｈｚの周波数で駆動され、前記高速応答ディスプレイが１２０Ｈｚ又は２４０Ｈｚの周波数で駆動されるものであっても良い。
【００１２】
また、本開示によれば、表示装置を備えた電子機器であって、前記表示装置は、所定の周波数で駆動されて表示を行う通常応答ディスプレイと、前記通常応答ディスプレイと重ねて配置され、前記通常応答ディスプレイよりも高い周波数で駆動され、前記通常応答ディスプレイと重畳して表示を行う高速応答ディスプレイと、を備える、電子機器が提供される。
【００１３】
また、本開示によれば、第１の駆動周波数で第１のディスプレイを駆動することと、前記第１の駆動周波数よりも高い第２の周波数で前記第１のディスプレイと重ねて配置された第２のディスプレイを駆動することと、を備える、表示装置の制御方法が提供される。
【発明の効果】
【００１４】
本開示によれば、表示装置の駆動負荷を最小限に抑えて高速駆動を行うことが可能となる。
【図面の簡単な説明】
【００１５】
【図１】表示装置のディスプレイの構成を示す斜視図である。
【図２】ディスプレイの断面を示す模式図である。
【図３】表示装置のディスプレイの表示画面を示す模式図である。
【図４】図３に示した高速応答ディスプレイと通常応答ディスプレイの個別の表示を重畳して表示した様子を示す模式図である。
【図５】表示装置の構成例を示す模式図である。
【図６】モバイル機器、またはパーソナルコンピュータ等の電子機器の表示画面に本実施形態のディスプレイを適用した例を示す模式図である。
【図７】高速応答ディスプレイをスタティック駆動のディスプレイから構成した場合を示す模式図である。
【図８】図７に示した高速応答ディスプレイと通常応答ディスプレイの個別の表示を重畳して表示した様子を示す模式図である。
【図９】高速応答ディスプレイによってバリア液晶を構成し、左目用画像と右目用画像を表示した例を示す模式図である。
【図１０】バリア液晶によって、ディスプレイを２画面のディスプレイとして構成した例を示す模式図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．表示装置の構造
２．表示装置の表示例
３．表示装置の構成例
４．電子機器への適用例
５．スタティック駆動の例
６．バリア液晶による多画面表示の例
【００１８】
［１．表示装置の構造］
まず、図１及び図２を参照して、本開示の第１の実施形態に係る表示装置の構成について説明する。図１は、表示装置２００のディスプレイ１００の構成を示す斜視図である。図１に示すように、表示装置２００は、高速応答ディスプレイ１１０と、通常応答ディスプレイ１２０とが重ねられて構成されたディスプレイ１００を備え、ディスプレイ１００はマルチレイヤーディスプレイとして構成されている。一例として、高速応答ディスプレイ１１０の駆動周波数は１２０Ｈｚまたは２４０Ｈｚであり、通常応答ディスプレイ１２０の駆動周波数は６０Ｈｚである。
【００１９】
図２は、ディスプレイ１００の断面を示す模式図である。高速応答ディスプレイ１１０は、高速応答用液晶１１２と、高速応答用液晶１１２の両側に配置されて高速応答用液晶１１２に電圧を印加する透明電極１１４，１１６と、を有して構成されている。
【００２０】
通常応答ディスプレイ１２０は、通常応答用液晶１２２と、通常応答用液晶１２２の両側に配置されて通常応答用液晶１２２に電圧を印加する透明電極１２４，１２６と、を有して構成されている。
【００２１】
高速応答ディスプレイ１１０よりも外側（視聴者側）には、偏光板１３０が配置されている。また、通常応答ディスプレイ１２０の高速応答ディスプレイ１１０側とは反対側には、バックライト１５０が配置されている。通常応答ディスプレイ１２０とバックライト１５０との間には、偏光板１４０が配置されている。
【００２２】
このような構成により、本実施形態の表示装置２００は、高速応答ディスプレイ１１０と通常応答ディスプレイ１２０によって表示を行うことができる。
【００２３】
［２．表示装置の表示例］
図３は、表示装置２００のディスプレイ１００の表示画面を示す模式図である。図３では、説明のため、高速応答ディスプレイ１１０と通常応答ディスプレイ１２０の表示を個別に示している。図３に示す例では、自動車などの用いられるメータの表示例を示している。図３に示すように、高速応答ディスプレイ１１０は、メータの針３００の部分を表示する。メータが自動車の速度計、エンジン回転数の回転計などの場合、メータの針３００は車速、エンジン回転数に応じて高速で駆動することになる。従って、メータの針３００の部分を高速応答ディスプレイ１１０で表示することで、針３００を高速駆動することができ、針３００の動きを車速、エンジン回転数に対して確実に追従させることができる。
【００２４】
一方、通常応答ディスプレイ１２０は、メータの針３００の周囲の目盛３１０、その他の表示物３２０など、主として動きのない表示物を表示している。動きのない表示物は、高速駆動させることがないため、通常応答ディスプレイ１２０で確実に表示することができる。
【００２５】
図４は、図３に示した高速応答ディスプレイ１１０と通常応答ディスプレイ１２０の個別の表示を重畳して表示した様子を示しており、ディスプレイ１００における通常の表示を示している。図４に示すように、高速応答ディスプレイ１１０によって動きのある表示物である針３００が表示され、通常応答ディスプレイ１２０によって針３００の周囲の目盛３１０など動きのない表示物が表示される。
【００２６】
以上のような構成によれば、高速応答ディスプレイ１１０では、メータの針３００のみを高速駆動するため、高周波数で駆動する領域を最小限に抑えることができ、駆動負荷を最小限に抑えることができる。一方、表示装置１００に表示される全てを高速駆動すると、駆動の負荷が増大してしまう。本実施形態では、動きのない表示物は通常応答ディスプレイ１２０で表示するため、高速駆動する領域を最小限に抑えることができる。従って、高速応答表示が可能な表示装置１００の駆動負荷を最小限に抑えることが可能となる。
【００２７】
［３．表示装置の構成例］
図５は、表示装置２００の構成例を示す模式図である。図５に示すように、表示装置２００は、ディスプレイ１００と制御部１５０と、を有して構成されている。制御部１５０は、通常画像処理部１５２と高速画像処理部１５４とを有している。
【００２８】
制御部１５０には、ディスプレイ１００に表示する画面の映像信号が入力される。制御部１５０の通常画像処理部１５２は、入力された映像信号に基づいて通常応答ディスプレイ１２０を駆動する。一方、高速画像処理部１５４は、入力された映像信号に基づいて高速応答ディスプレイ１１０を駆動する。高速画像処理部１５４は、メータの針の部分のみを高速応答ディスプレイ１１０に表示するため、高速画像処理部１５４の駆動負荷は最小限に抑えられる。
【００２９】
通常画像処理部１５２は、通常応答ディスプレイ１２０を駆動して、メータの針３００の周囲の目盛３１０など、主に表示画面上で固定された表示物を表示させる。これにより、静的な表示物は通常の負荷で表示させることができるため、制御部１５０の処理負荷を最小限に抑えることができる。
【００３０】
［４．電子機器への適用例］
上述の説明では、表示装置２００を自動車のメータなどの表示に適用した例を示したが、表示装置２００はモバイル機器やパーソナルコンピュータ（ＰＣ）等にも広く適用することができる。
【００３１】
図６は、モバイル機器、またはパーソナルコンピュータ等の電子機器４００の表示部に本実施形態の表示装置２００を適用した例を示す模式図である。図６に示すように、電子機器４００の表示画面には、動画の表示領域４１０と、静止画の表示領域４２０が設けられている。動画の表示領域４１０は、高速応答ディスプレイ１１０によって表示される。一方、静止画の表示領域４２０は、通常応答ディスプレイ１２０によって表示される。これにより、電子機器４００の表示画面において、動画の表示領域４１０のみが高速応答ディスプレイ１１０によって表示されるため、制御部１５０の駆動負荷を最小限に抑えることができ、且つ消費電力を低減することができる。
【００３２】
［５．スタティック駆動の例］
次に、高速応答ディスプレイ１１０をスタティック駆動のディスプレイから構成した例について説明する。図７は、図３と同様に表示装置２００のディスプレイ１００による表示画面を示す模式図であって、高速応答ディスプレイ１１０をスタティック駆動のディスプレイから構成した場合を示している。スタティック駆動の場合、各針３３０，３４０，３５０，３６０は、複数の表示領域が予め定められており、各表示領域はオン／オフの信号によって表示／非表示が切り換わるように構成されている。例えば、針３３０では、複数の針３３０の表示領域の中の１つが表示されることで、針３３０の位置が表示される。図７では、針３３０の実線で示される表示領域が表示され、他の表示領域は非表示とされている。他の針３４０，３５０，３６０についても同様の表示が行われる。
【００３３】
図８は、図７に示した高速応答ディスプレイ１１０と通常応答ディスプレイ１２０の個別の表示を重畳して表示した様子を示している。このように、高速応答ディスプレイ１１０をスタティック駆動で駆動することによって、制御部１５０の処理負荷の更なる低減が可能となり、表示装置２００の消費電力の更なる低減が可能となる。
【００３４】
［６．バリア液晶による多画面表示の例］
次に、高速応答ディスプレイ１１０によってバリア液晶を構成した例について説明する。上述のように高速応答ディスプレイ１１０は高速駆動部分を表示するが、必要に応じて画面表示を切り替えることで、バリア液晶として機能させることができる。高速応答ディスプレイ１１０をバリア液晶として機能させた場合、３次元映像の表示や、多画面表示が可能となる。
【００３５】
図９は、高速応答ディスプレイ１１０によってバリア液晶を構成し、通常応答ディスプレイ１２０に左目用画像と右目用画像を表示した例を示す模式図である。この場合、バリア液晶の遮光部分１１２によって通常応答ディスプレイ１２０の表示を分離し、ユーザの左目が左目用画像を視認し、右目が右目用画像を視認することによって、ユーザはディスプレイ１００の映像を立体映像として認識することができる。
【００３６】
また、図１０は、バリア液晶によって、ディスプレイ１００を２画面のディスプレイとして構成した例を示している。この場合、バリア液晶によって通常応答ディスプレイ１２０に表示された２つの画面の映像を振り分けることで、例えば自動車の運転席側では速度計などメータの表示、ナビゲーションの地図などを視認することができ、助手席側では他の表示（例えば、ＴＶ番組、映画など）を視認することも可能となる。
【００３７】
以上説明したように本実施形態によれば、ディスプレイ１００の表示画面において、高速駆動を行う領域は高速応答ディスプレイ１１０で表示し、その他の領域は通常応答ディスプレイ１２０で表示するようにした。これにより、表示画面の全領域を高速駆動することがないため、制御部１５０の駆動負荷を最小限に抑えることが可能となり、且つ、ディスプレイ１００の消費電力を低減することが可能となる。
【００３８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００３９】
なお、以下のような構成も本開示の技術的範囲に属する。
（１）所定の周波数で駆動されて表示を行う通常応答ディスプレイと、
前記通常応答ディスプレイと重ねて配置され、前記通常応答ディスプレイよりも高い周波数で駆動され、前記通常応答ディスプレイと重畳して表示を行う高速応答ディスプレイと、
を備える、表示装置。
（２）前記高速応答ディスプレイは、スタティック駆動により表示を行う、前記（１）に記載の表示装置。
（３）前記高速応答ディスプレイは前記通常応答ディスプレイの光を遮光する遮光部分を備え、前記遮光部分により前記通常応答ディスプレイの表示を分離して他画面表示を行う、前記（１）に記載の表示装置。
（４）前記高速応答ディスプレイが動画を表示する、前記（１）に記載の表示装置。
（５）前記通常応答ディスプレイが静止画を表示する、前記（１）に記載の表示装置。
（６）前記通常応答ディスプレイが６０Ｈｚの周波数で駆動され、前記高速応答ディスプレイが１２０Ｈｚ又は２４０Ｈｚの周波数で駆動される、前記（１）に記載の表示装置。
（７）表示装置を備えた電子機器であって、
前記表示装置は、
所定の周波数で駆動されて表示を行う通常応答ディスプレイと、
前記通常応答ディスプレイと重ねて配置され、前記通常応答ディスプレイよりも高い周波数で駆動され、前記通常応答ディスプレイと重畳して表示を行う高速応答ディスプレイと、
を備える、電子機器。
（８）第１の駆動周波数で第１のディスプレイを駆動することと、
前記第１の駆動周波数よりも高い第２の周波数で前記第１のディスプレイと重ねて配置された第２のディスプレイを駆動することと、
を備える、表示装置の制御方法。
【符号の説明】
【００４０】
１００    ディスプレイ
１１０    高速応答ディスプレイ
１１２    遮光部分
１２０    通常応答ディスプレイ
２００    表示装置
４００    電子機器
【図１】
2013195537.tif 000003
【図２】
2013195537.tif 000004
【図３】
2013195537.tif 000005
【図４】
2013195537.tif 000006
【図５】
2013195537.tif 000007
【図６】
2013195537.tif 000008
【図７】
2013195537.tif 000009
【図８】
2013195537.tif 000010
【図９】
2013195537.tif 000011
【図１０】
2013195537.tif 000012